(57)【要約】【課題】日射病や熱中症を的確に予防することができる首筋冷却具といった新規な用具を提供する。【解決手段】頭頂部を覆うように頭部に装着される頭部装着部１１と、該頭部装着部１１に垂設され、後頭部下の首筋に垂れ下がる垂下部１２と、該垂下部１２に設けられ、保冷剤２０を収容するポケット１３とを備える。なお、前記頭部装着部１１を、帽子状に形成してもよい。この場合、布地を帽子状に縫製してもよく、或いは、既製の帽子を用いてもよい。また、前記頭部装着部１１を、左右に長尺な平布状に形成してもよい。この場合、柄付き木綿地にて形成すると、バンダナの代わりにファッショナブルに着用することができる。【選択図】図１
2012036533.tif 000002
【特許請求の範囲】
【請求項１】
頭頂部を覆うように頭部に装着される頭部装着部と、
該頭部装着部に垂設され、後頭部下の首筋に垂れ下がる垂下部と、
該垂下部に設けられ、保冷剤を収容するポケットと
を備えることを特徴とする首筋冷却具。
【請求項２】
前記頭部装着部は、帽子状に形成されている
ことを特徴とする請求項１に記載の首筋冷却具。
【請求項３】
前記頭部装着部は、左右に長尺な平布状に形成されている
ことを特徴とする請求項１に記載の首筋冷却具。
【発明の詳細な説明】
【技術分野】
【０００１】
本発明は、首筋冷却具に関するものであり、詳しくは、夏場に屋外で作業する作業者が日射病や熱中症にならないように後頭部下の首筋を冷やすことのできる首筋冷却具に関するものである。
【背景技術】
【０００２】
夏場において、建築作業、土木作業や農作業等、屋外で作業する作業者は、日射病や熱中症にならないように、頭頂部を覆うように頭にタオルを巻いて作業することがある。また、ヘルメットを被って作業をする作業者は、頭が蒸れないように、頭にタオルを巻いてヘルメットを被ることもある。
【発明の概要】
【発明が解決しようとする課題】
【０００３】
しかしながら、頭にタオルを巻いたり、頭が蒸れないようにヘルメットの下にタオルを巻くだけでは、日射病や熱中症を的確に予防することができない。
【０００４】
本発明は、上記実情を鑑みてなされたものであり、日射病や熱中症を的確に予防することができる首筋冷却具といった新規な用具を提供することを課題とする。
【課題を解決するための手段】
【０００５】
上記課題を解決するために本発明の採った主要な手段は、
「頭頂部を覆うように頭部に装着される頭部装着部と、
該頭部装着部に垂設され、後頭部下の首筋に垂れ下がる垂下部と、
該垂下部に設けられ、保冷剤を収容するポケットと
を備えることを特徴とする首筋冷却具」
である。
【０００６】
上記構成の首筋冷却具を着用すると、頭部装着部よって頭頂部が覆われるため、炎天下において直射日光が頭頂部にあたることがなく、日射病を的確に予防することができる。また、後頭部下の首筋に垂れ下がる垂下部のポケットに保冷剤を入れれば、後頭部下の首筋が保冷剤によって冷やされ、もって首筋の動脈を流れる血液が冷やされる。よって、熱中症を的確に予防することができる。
【０００７】
また、ヘルメットを被って作業をする場合においては、ヘルメット下に首筋冷却具を着用することで、頭が蒸れることを防止することができる。
【０００８】
なお、頭部装着部を布地、特に吸水性に優れるタオル地によって形成すれば、頭部装着部にて汗を吸収することができ、頭部から汗が顔に滴り落ちることを防止することができる。また、頭部装着部がタオル地等の布地によって形成された首筋冷却具をヘルメットの下に着用することで、頭が蒸れることをより的確に防止することができる。さらには、着用した首筋冷却具を頭から外せば、この首筋冷却具によって通常のタオルのように汗を拭うこともできる。
【０００９】
上述した手段において、
「前記頭部装着部は、帽子状に形成されている
ことを特徴とする首筋冷却具」
とするのが好適である。
【００１０】
ここで、頭部装着部を帽子状に形成するには、布地を帽子状に縫製してもよく、また、既製の帽子を用いて頭部装着部を構成するようにしてもよい。
【００１１】
頭部装着部を帽子状に形成することで、簡便に着脱できる首筋冷却具を実現することができる。
【００１２】
上述した手段において、
「前記頭部装着部は、左右に長尺な平布状に形成されている
ことを特徴とする首筋冷却具」
とするのが好適である。
【００１３】
頭部装着具を左右に長尺な平布状に形成することで、通常のタオルを頭に巻くように着用できる首筋冷却具を実現することができる。
【００１４】
なお、頭部装着部をタオル地ではなく、柄付きの木綿地によって形成すれば、バンダナの代わりに首筋冷却具を着用することができ、ファッション性を向上させることもできる。ここで、頭部装着部を柄付きの木綿地によって形成する場合には、垂下部も頭部装着部と一体の生地で形成する等、頭部装着部の生地と同生地で同柄にすれば、ファッション性をより向上させることができる。
【発明の効果】
【００１５】
上述した通り、本発明によれば、日射病や熱中症を的確に予防することができる首筋冷却具といった新規な用具を提供することができる。
【図面の簡単な説明】
【００１６】
【図１】本発明に係る首筋冷却具の一例を示す斜視図である。
【図２】本発明に係る首筋冷却具の別の例を示す平面図である。
【図３】図２に示した首筋冷却具を着用する状態を示す斜視図である。
【図４】図２に示した首筋冷却具を着用する状態を示す斜視図である。
【図５】好適に用いることができる保冷剤を示す斜視図である。
【図６】ポケットの別の例を示す平面図である。
【発明を実施するための形態】
【００１７】
本発明に係る首筋冷却具の実施形態としての一例を、以下、図面に従って詳細に説明する。
【００１８】
図１に、首筋冷却具１０の一例を示す。
【００１９】
この首筋冷却具１０は、着用者Ｈの頭頂部を覆うように頭部に装着される頭部装着部１１と、頭部装着部１１に垂設され、後頭部下の首筋に垂れ下がる垂下部１２とを備えている。ここで、頭部装着部１１は、布地によって帽子状に縫製されている。また、垂下部１２は、頭部装着部１１の布地と同質の布地によって形成されており、帽子状の頭部装着部１１の後部から垂下がるように、頭部装着部１１に縫着されている。
【００２０】
なお、本例では、頭部装着部１１及び垂下部１２がタオル地によって形成されており、汗を良好に吸収できるようにしてある。
【００２１】
また、頭部装着部１１には、垂下部１２の縫着部分に帯ゴム１５が縫い込まれており、帽子状の頭部装着部１１が着用者Ｈの頭部に的確にフィットするようにしてある。
【００２２】
ところで、垂下部１２には、保冷剤２０を収容するポケット１３が設けられており、凍らせた保冷剤２０をポケット１３に入れて首筋冷却具１０を着用することで、着用者Ｈの後頭部下の首筋を保冷剤２０によって冷やすことができる。
【００２３】
ここで、ポケット１３には、ポケット１３の開口を覆う返し片１４が設けられており、ポケット１３に入れた保冷剤２０が不用意に飛び出し難くなっている。また、返し片１４には、面ファスナー等のファスナー１４ａが設けられており、返し片１４によってポケット１３の開口を堅固に塞ぐことができるようにしてある。
【００２４】
なお、本例の如く頭部装着部１１と垂下部１２との縫着部分に帯ゴム１５が縫い込まれていると、ポケット１３の開口が帯ゴム１５によって縮むため、ポケット１３に入れた保冷剤２０が飛び出し難い。よって、返し片１４やファスナー１４ａを省略してもよい。
【００２５】
また、ポケット１３を垂下部１２の内側または外側の何れの側に設けてもよいが、垂下部１２の内側にポケット１３を設けると、建築現場の足場をくぐったり、木立の中で作業する際等において、ポケット１３が引っ掛かり難くすることができる。一方、垂下部１２の外側にポケット１３を設けると、首筋冷却具１０を着用したままの状態でも保冷剤２０を交換し易くすることができる。
【００２６】
図２に、首筋冷却具１０の別の例を示す。
【００２７】
この首筋冷却具１０では、頭頂部を覆うように頭部に装着される頭部装着部１１と、頭部装着部１１に垂設され、後頭部下の首筋に垂れ下がる垂下部１２と、垂下部１２に設けられ、保冷剤２０を収容するポケット１３とを備えた構成については前述の例と同様であるが、頭部装着部１１が前述の例とは異なり、帽子状ではなく、左右に長尺な平布状に形成されている。
【００２８】
このように頭部装着部１１が左右に長尺な平布状に形成された首筋冷却具１０によれば、図３及び図４に示すように、通常のタオルやバンダナを頭に巻くように着用することができる。具体的に、着用者Ｈは、頭部装着部１１の中央部分１１ａによって頭頂部を覆うようにして頭部装着部１１を頭に被り、頭部装着部１１の左右の両端部分１１ｂを頭に巻回して、頭の後方にて結べばよい。
【００２９】
ここで、頭部装着部１１の形状として、中央部分１１ａについては、頭頂部を確実に覆うことができるように幅広とする一方で、左右の両端部分１１ｂについては、結び易いように幅狭とするのが好適である。
【００３０】
このような首筋冷却具１０においても、垂下部１２のポケット１３に保冷剤２０を入れて着用することで、保冷剤２０によって後頭部下の首筋を冷やすことができる。
【００３１】
なお、頭部装着部１１及び垂下部１２を布地によって形成する場合には、頭部装着部１１及び垂下部１２の全体を一枚の布地によって形成してもよく、或いは、複数の布地を互いに縫着して頭部装着部１１及び垂下部１２の全体を形成してもよい。
【００３２】
また、頭部装着部１１及び垂下部１２を布地によって形成する場合には、布地としてタオル地を用いてもよいが、柄付きの木綿地を用いることで、バンダナの代わりとして、首筋冷却具１０をファッショナブルに着用することができる。
【００３３】
なお、図２〜３においては、頭部装着部１１の形態が異なる他は前述の例と同様な構成であり、同一の符号を付すことで詳細な説明は省略する。
【００３４】
ところで、ポケット１３に入れる保冷剤２０としては、蓄熱剤を樹脂シート袋に封入した市販のパック状の保冷剤２０を用いることができる。しかしながら、パック状の保冷剤を凍らせると、首筋に沿った形状に変形せず、首筋に馴染み難い。よって、保冷剤２０として、図５に示すように、パック状の保冷剤２０の両端部分２０ａと同様に中央部分２０ｂも溶着して蓄熱剤を左右に分離させて、図示矢印Ａのように、全体が首筋に馴染んで折れ曲がるようにした保冷剤２０を用いるのが好適である。
【００３５】
また、市販のパック状の保冷剤２０を用いる場合には、図６に示すように、垂下部１２にポケット１３を複数設けて、各ポケット１３に小型の保冷剤２０を入れて、個々の保冷剤２０全体にて首筋に馴染むようにしてもよい。なお、図６においては、ポケット１３の数が異なる他は前述の例と同様な構成であり、同一の符号を付すことで詳細な説明は省略する。
【符号の説明】
【００３６】
１０  首筋冷却具
１１  頭部装着部
１１ａ  中央部分
１１ｂ  両端部分
１２  垂下部
１３  ポケット
１４  返し片
１４ａ  ファスナー
１５  帯ゴム
２０  保冷剤
２０ａ  両端部分
２０ｂ  中央部分
【図１】
2012036533.tif 000003
【図２】
2012036533.tif 000004
【図３】
2012036533.tif 000005
【図４】
2012036533.tif 000006
【図５】
2012036533.tif 000007
【図６】
2012036533.tif 000008